(57)【要約】加熱部（１０２）と、加熱庫内を撮影する撮影部（１０６）と、加熱制御内容を設定する設定部（１０７）と、撮影画像と設定された加熱制御内容を紐付けて登録する格納部（１０８）を備える。さらに、食品が複数種類かどうかを判定する複品判定部（１０９）と、複数の画像の類似度を判定する類似度判定部（１１１）と、類似度判定部（１１１）での判定結果に応じて撮影された食品に対応する加熱制御内容を特定する制御内容特定部（１１３）と、制御部（１１２）を備える。制御部（１１２）は、食品の数に対応して個々の加熱制御内容を表示部（１１５）に提示する。これにより、容易に加熱制御の設定を行うことが可能な加熱調理器を提供できる。
2016199378.tif 000002
【特許請求の範囲】
【請求項１】
加熱庫に収納された食品を加熱する加熱部と、
前記加熱庫内の食品または食器を撮影する撮影部と、
前記加熱部による加熱制御内容を設定する設定部と、
前記撮影部で撮影された画像と前記設定部で設定された前記加熱制御内容とを関連付けて格納する格納部と、
前記加熱制御内容を報知する報知部と、
制御部と、を備え、
前記制御部は、
前記撮影部で撮影された前記画像に存在する食品または食器の数に基づいて、対応する前記食品または食器の前記加熱制御内容を報知するように前記報知部を制御する加熱調理器。
【請求項２】
開閉可能な扉を有する加熱庫と、
前記扉の開閉を検知する開閉検知部と、をさらに備え、
前記制御部は、
前記扉が開状態から閉状態に変化したことを前記開閉検知部が検知すると、前記撮影部で前記加熱庫内の食品または食器を撮影し、
前記撮影部が撮影した前記加熱庫内の食品または食器の画像と前記格納部に格納された画像との比較を行い、
前記撮影部で撮影された前記画像に存在する食品または食器の数に基づいて、対応する食品または食器の前記加熱制御内容を報知するように前記報知部を制御する請求項１に記載の加熱調理器。
【請求項３】
前記報知部は、表示部を備え、
前記制御部は、
前記撮影部が撮影した前記画像に、前記食品または食器が複数種類存在すると判定すると、前記表示部に、撮影された前記画像に存在する食品または食器ごとに複数の画像に分割し、分割した前記画像をそのまま、または個別に拡大して表示するとともに、
表示した前記画像ごとに対応する前記加熱制御内容を表示する請求項１に記載の加熱調理器。
【請求項４】
前記撮影部で撮影された前記画像に食品または食器が含まれている場合、
前記制御部は、前記画像に含まれる食品または食器に対応する前記加熱制御内容を抽出し、
抽出した前記加熱制御内容に対応する加熱源と、前記設定部で設定された前記加熱制御内容に対応する加熱源とが一致すれば、前記加熱制御内容を前記報知部により報知する請求項１に記載の加熱調理器。
【請求項５】
前記撮影部で撮影された前記画像に複数の食品または食器が含まれている場合、
前記制御部は、前記画像に含まれる複数の食品または食器に対応する複数の前記加熱制御内容を抽出し、
抽出した複数の前記加熱制御内容に対応する加熱源が異なると判定されるか、または、予め前記設定部で設定された前記加熱制御内容に対応する加熱源がないと判定されると、
抽出した複数の前記加熱制御内容に対応する加熱源のうち、最も多く用いられる加熱源のみを前記報知部により報知する請求項１に記載の加熱調理器。
【請求項６】
前記制御部は、
前記撮影部で撮影した前記画像から複数種類の食品が存在すると判定する場合、
撮影した前記食品に対応する前記加熱制御内容と加熱源を判定し、
判定した前記加熱源が前記食品に応じて異なる場合、または、予め前記設定部で設定された前記加熱制御内容の加熱源が撮影した前記画像に対応する加熱源と異なる場合、
前記報知部は、設定した前記加熱制御内容のうち、分割した画像サイズの最も大きい前記加熱制御内容に紐付く前記加熱制御内容のみを提示する請求項１に記載の加熱調理器。
【発明の詳細な説明】
【技術分野】
【０００１】
本発明は、食品を加熱する加熱調理器に関する。
【背景技術】
【０００２】
加熱調理器の一例であるオーブンレンジは、マイクロ波加熱の他に、オーブン、グリル、スチームなどの複数の加熱源を備える。加熱調理器は、複数の加熱源の中から適切な加熱源を選択して、食品を加熱する。これにより、多種多様な調理を可能にしている。【０００３】
しかし、多種多様な調理に対応するために、加熱源の制御内容の設定操作が煩雑となる。【０００４】
そこで、従来、カメラを搭載したオーブンレンジで食器を撮影し、予め登録されている食器に対応する調理方法で調理を行う技術が開示されている（例えば、特許文献１参照）。【０００５】
また、食品ごとに異なる仕上げ温度を設定して、仕上がり状況を映像により報知する加熱調理器が開示されている（例えば、特許文献２参照）。【０００６】
しかしながら、特許文献１に記載の技術は、予め食器を撮影して登録する必要がある。そのため、ユーザにとって、面倒な操作が必要となる。【０００７】
また、特許文献２に記載の技術は、ユーザが食品を指定して温度設定を行う必要がある。つまり、ユーザは、表示画像をタッチして食品を指定し、さらに温度の増減ボタンを押下して温度設定を行う必要がある。そのため、ユーザにとって、面倒な操作が必要となる。
【先行技術文献】
【特許文献】
【０００８】
【特許文献１】特開２００５−１４０４１８号公報
【特許文献２】特開２００２−２４３１６６号公報
【発明の概要】
【０００９】
本発明は、単品や複数の食品を加熱庫内に入れた場合でも、使用者は、各々の加熱制御内容の設定を簡単に行うことが可能である。また、使用者が以前に設定した食品に該当する食品があれば、自動で呼び出して提示する。これにより、使用者の好みに応じて加熱処理可能な、使い勝手に優れる加熱調理器を提供する。
【００１０】
つまり、本発明の加熱調理器は、加熱庫に収納された食品を加熱する加熱部と、加熱庫内の食品または食器を撮影する撮影部と、加熱部による加熱制御内容を設定する設定部と、撮影部で撮影された画像と設定部で設定された加熱制御内容とを関連付けて格納する格納部と、加熱制御内容を報知する報知部と、制御部を備える。制御部は、撮影部で撮影された画像に存在する食品または食器の数に基づいて、対応する食品または食器の加熱制御内容を報知するように報知部を制御する。
【００１１】
この構成によれば、単品の食品や複数の食品を加熱庫内に入れて加熱する場合、各々の加熱制御内容の設定を簡単に行うことができる。また、使用者が以前に設定した加熱制御内容に該当する加熱制御内容があれば、自動で呼び出して報知部に提示する。これにより、使用者の好みに応じて加熱できる、使い勝手に優れる加熱調理器を実現できる。
【００１２】
具体的には、使用者が、通常の加熱制御内容の設定と加熱開始の指示を行うと、自動的に食品の画像と加熱制御内容とを関連付けて、対応テーブルとして格納部に格納する。そして、次に同様の食品が、カメラなどの撮影部で撮影した画像から認識されると、加熱庫内にある食品が単品、または複数でも、使用者に所望の加熱制御内容を提示する。これにより、使い勝手に優れる加熱調理器を提供できる。
【図面の簡単な説明】
【００１３】
【図１】図１は、本発明の実施の形態１における加熱調理器の構成を示すブロック図である。
【図２】図２は、同加熱調理器の動作を示すフローチャートである。
【図３Ａ】図３Ａは、同加熱調理器の食品が複数種類かどうかを判定する一例を示す図である。
【図３Ｂ】図３Ｂは、同加熱調理器の食品が複数種類かどうかを判定する一例を示す図である。
【図４】図４は、同加熱調理器の類似度判定部の動作を示すフローチャートである。
【図５】図５は、同加熱調理器の表示部の提示例を示す図である。
【図６】図６は、同加熱調理器の表示部の他の提示例を示す図である。
【図７】図７は、本発明の実施の形態２における機器の構成を示すブロック図である。
【図８】図８は、同加熱調理器の動作を示すフローチャートである。
【発明を実施するための形態】
【００１４】
以下、本発明の実施の形態について、図面を参照しながら説明する。なお、この実施の形態によって本発明が限定されるものではない。
【００１５】
（実施の形態１）
以下に、本発明の実施の形態１の加熱調理器について、図１を用いて説明する。
【００１６】
図１は、本発明の実施の形態１における加熱調理器の構成を示すブロック図である。
【００１７】
図１に示すように、本実施の形態の加熱調理器は、マグネトロン１０１、ヒータ１０２、赤外線センサ１０３、サーミスタ１０４、開閉検知部を構成するドアスイッチ１０５、撮影部１０６、設定部１０７、格納部１０８、複品判定部１０９、特徴量算出部１１０、類似度判定部１１１、制御部１１２などを備える。マグネトロン１０１とヒータ１０２は、例えば食品を加熱する加熱部を構成する。赤外線センサ１０３は、食品の温度を検知する。サーミスタ１０４は、加熱庫内の温度を検知する。ドアスイッチ１０５は、加熱庫内のドアの開閉を検知する。撮影部１０６は、例えばＣＣＤ（Ｃｈａｒｇｅ  Ｃｏｕｐｌｅｄ  Ｄｅｖｉｃｅ）などの撮像素子から構成され、加熱庫内を撮影する。設定部１０７は、食品や食器などに対応して、加熱部による加熱制御内容を設定する。格納部１０８は、例えばフラッシュメモリなどの不揮発性メモリから構成され、例えば食品と関連付いた加熱制御内容などを格納する。複品判定部１０９は、加熱庫内の食品が複数あるかどうかを判定する。特徴量算出部１１０は、撮影部１０６で撮影した画像から、食品や食器などの特徴量を算出する。類似度判定部１１１は、撮影部１０６で撮影した画像から、食品や食器などの類似度を算出する。
【００１８】
制御部１１２は、赤外線センサ１０３で検知した食品の温度を監視しながら、設定部１０７で設定された加熱制御内容に基づいて、食品を加熱する加熱部を制御する。
【００１９】
また、制御部１１２は、例えばＣＰＵ（Ｃｅｎｔｒａｌ  Ｐｒｏｃｅｓｓｉｎｇ  Ｕｎｉｔ）などのマイクロプロセッサーから構成され、加熱部の制御以外に、各回路を制御する。
【００２０】
さらに、制御部１１２は、制御内容特定部１１３を備える。制御内容特定部１１３は、加熱庫内に置かれている食品の加熱制御をどのようにすべきかの候補を特定する。
【００２１】
また、図１に示すように、加熱調理器は、報知部の一例である表示部１１５、表示制御部１１４、操作部１１６などを、備える。表示部１１５は、例えば液晶表示装置から構成され、加熱制御内容などを表示する。表示制御部１１４は、表示部１１５の表示を制御する。操作部１１６は、例えばタッチパネルやキーボードなどから構成され、タッチや押下操作などにより、加熱の開始や各種操作を行う。
【００２２】
以上のように、本実施の形態の加熱調理器は構成される。
【００２３】
以下に、上記構成を有する加熱調理器の動作および作用について、図２から図４を用いて説明する。
【００２４】
図２は、同加熱調理器の動作を示すフローチャートである。図３Ａおよび図３Ｂは、同加熱調理器の食品が複数種類かどうかを判定する一例を示す図である。図４は、同加熱調理器の類似度判定部の動作を示すフローチャートである。
【００２５】
図２に示すように、制御部１１２は、まず、加熱調理器の電源が投入されると、撮影部１０６を制御して、加熱庫内を撮影する（ステップＳ１）。そして、撮影した画像情報を格納部１０８に格納する。なお、ステップＳ１は、加熱庫内が空の状態の画像情報を、予め格納部１０８に格納するための処理である。
【００２６】
つぎに、制御部１１２は、開閉検知部を構成するドアスイッチ１０５からドアが開閉されたか否かを判定する（ステップＳ２）。ドアの開状態から閉状態への変化がない場合（ステップＳ２のＮ）、ドアが閉状態になるまで待機する。
【００２７】
一方、ドアが開状態から閉状態に変化したと判定すると（ステップＳ２のＹ）、制御部１１２は、撮影部１０６を制御して、加熱庫内の撮影を行う（ステップＳ３）。このとき、図３Ａに示すような、例えば食品や食器などが収容された画像が、撮影される。
【００２８】
つぎに、制御部１１２は、撮影した加熱庫内の画像を複品判定部１０９に送信する。複品判定部１０９は、ステップＳ１で撮影した格納部１０８に格納した空の加熱庫内の画像と、ステップＳ３で撮影した加熱庫内の画像との差分を算出して、２値化する（ステップＳ４）。具体的には、画像を複数の画素に分割し、画素ごとに輝度信号の差分を求めて、その値を２値化する。
【００２９】
つぎに、制御部１１２は、類似度判定部１１１を制御して、ラベリング処理を実行して固まり（以下、「ブロック」と称する）の数を算出する（ステップＳ５）。なお、ラベリング処理は、図３Ｂに示すように、類似度判定部１１１で、任意の画素と、その近傍の画素について分類を行い、画素ごとの代表値が類似する連続した画素には同じ番号を振り、同じ番号を振った複数の画素を、１つのブロックとする処理である。そして、類似度判定部１１１は、ラベリング処理により、画像内にブロックが何個あるかを判定する。
【００３０】
具体的に説明すると、類似度判定部１１１は、まず、予め撮影した空の加熱庫内の画像と、今回撮影した加熱庫内の画像の画素ごとの輝度（あるいは、色あいなど）の比較を行い、数値化する。そして、類似度判定部１１１は、同じまたは所定の範囲内の数値の画素は連続していると判定する。
【００３１】
このとき、複品判定部１０９は、ラベリング処理したいくつかのブロックのうち、所定サイズ以上のブロックの個数を抽出する。なお、例えば醤油皿や子供用の食器の大きさを想定した場合、円状であれば直径５ｃｍ以上、矩形状であれば一辺５ｃｍを、食品のブロックの所定のサイズとして判定する。
【００３２】
つぎに、特徴量算出部１１０は、複品判定部１０９が食品として抽出した画素のブロックごとに、特徴量を算出する。そして、類似度判定部１１１は、算出された特徴量と、格納部１０８に記憶されている過去の画像との類似度比較を行う（ステップＳ６）。
【００３３】
以下に、図４を用いて、ステップＳ６における処理について、より具体的に説明する。
【００３４】
まず、図４に示すように、制御部１１２は、特徴量算出部１１０で、撮影部１０６で撮影した画像情報の各画素における色信号（例えば、ＲＧＢ信号）の明るさのヒストグラムを算出する（ステップＳ２１）。
【００３５】
つぎに、制御部１１２は、格納部１０８に、予め登録されている画像があるか否かを判定する（ステップＳ２２）。登録されている画像がない場合（ステップＳ２２のＮ）、以下で説明するステップ２７の処理を実行する。
【００３６】
一方、登録されている画像がある場合（ステップＳ２２のＹ）、制御部１１２は、類似度判定部１１１を制御して、ステップＳ３で今回撮影した画像情報の画素サイズと同じサイズになるように、格納部１０８に格納されている画素サイズを変換する（ステップＳ２３）。
【００３７】
つぎに、類似度判定部１１１は、今回撮影した画像の各画素のＲＧＢ信号のヒストグラムの合計値と、格納部１０８に格納されている画像の各画素のＲＧＢ信号のヒストグラムの合計値との差分を取る。そして、類似度判定部１１１は、差分が最小となるか否かを判定する（ステップＳ２４）。差分が最小でない場合（ステップＳ２４のＮ）、格納部１０８に格納されている別の画像の各画素のＲＧＢ信号のヒストグラムの合計値との差分を取り、判定を繰り返す。
【００３８】
つぎに、差分が最小である場合（ステップＳ２４のＹ）、類似度判定部１１１は、抽出した画像のヒストグラムの差分が予め定められた所定値未満か否かを判定する（ステップＳ２５）。差分が所定値以上と判定された場合（ステップＳ２５のＮ）、以下で説明するステップ２７の処理を実行する。
【００３９】
一方、差分が所定値未満と判定された場合（ステップＳ２５のＹ）、制御部１１２は、ステップ２４で判定した画像の情報を類似画像と確定する（ステップＳ２６）。そして、類似度判定部１１１の類似度比較処理を終了する。
【００４０】
また、登録されている画像がない場合（ステップＳ２２のＮ）、および差分の合計値が所定値未満と判定された場合（ステップＳ２５のＮ）、制御部１１２は、類似画像がないと判定する。そして、制御部１１２は、表示部１１５に、例えば「類似画像が登録されていません」などのメッセージを表示する。これにより、ユーザに、類似する画像が登録されていないことを報知する。あるいは、制御部１１２は、今回撮影した画像情報を、新規の画像として、特徴量である初期画像との差分の色のヒストグラムとともに、格納部１０８に登録する（ステップＳ２７）。そして、類似度判定部１１１の類似度比較処理を終了する。
【００４１】
なお、上記新規画像の登録処理は、操作部１１６を介して加熱開始の指示が出された場合にのみ、実行される。このとき、新規画像は、加熱制御内容と紐づけて格納部１０８へ登録される。そのため、操作部１１６を介して加熱開始の指示が行われずに、ドアが開けられた場合、格納部１０８への新規画像の登録は行わない。
【００４２】
以上にように、ステップＳ６における類似度判定部１１１の類似度比較処理が、実行される。
【００４３】
つぎに、図２に示すように、制御内容特定部１１３は、類似度判定部１１１で、ブロックごとに、格納部１０８に格納されている類似画像を決定する。そして、決定された類似画像と紐付けて格納部１０８に格納されている加熱制御内容を抽出して読み出す（ステップＳ７）。
【００４４】
つぎに、制御内容特定部１１３は、ブロックごとで提示される加熱制御内容を特定する（ステップＳ８）。このとき、類似度判定部１１１で、格納部１０８に記憶されている類似画像がないと判定された場合、加熱制御内容を特定しない。
【００４５】
つぎに、制御部１１２は撮影した画像情報にブロックが複数存在するか否かを判定する（ステップＳ９）。ブロックが複数存在しない場合（ステップＳ９のＮ）、制御部１１２は、１つのブロックである単品の加熱制御内容の提示処理を行う（ステップＳ１０）。具体的には、制御部１１２は、ステップ８で特定した単品の加熱制御内容を表示部１１５に提示するように、表示制御部１１４を制御する。そして、処理を終了する。
【００４６】
一方、ブロックが複数存在する場合（ステップＳ９のＹ）、制御部１１２は、複数のブロックごとの加熱制御内容の提示処理を行う（ステップＳ１１）。具体的には、制御部１１２は、ステップ８で判定した複数の加熱制御内容を表示部１１５に提示するように、表示制御部１１４を制御する。そして、処理を終了する。
【００４７】
以上により、加熱庫内に存在する食品や食器の数に基づいて、対応するそれぞれの加熱制御内容と紐付けされ、表示部１１５に提示される。
【００４８】
つぎに、上記状態において、制御部１１２は、操作部１１６を介して、使用者が加熱開始の指示を出すと、加熱庫内の食品や食器などの加熱が開始される。このとき、サーミスタ１０４や赤外線センサ１０３で検知した庫内温度や食品などの温度を監視する。そして、検知された温度に基づいて、制御部１１２は、設定部１０７で設定された加熱制御内容に応じて、加熱部を構成するマグネトロン１０１やヒータ１０２で、食品や食器などを加熱する。
【００４９】
以上により、本実施の形態の加熱調理器による加熱動作が実行される。
【００５０】
ここで、上記ステップＳ１０およびステップＳ１１の表示部１１５に提示される一例を、図５を用いて、説明する。
【００５１】
図５に示すように、表示部１１５には、複品判定部１０９で抽出した食品や食器などをブロックごとに、例えば矩形形状で切り出して提示する。同時に、表示部１１５に、切り出した食品や食器などに対応する加熱制御内容である、例えばメニューや、目標温度などを表示する。これにより、使用者は、加熱庫内に収容される食品や食器と関連付けられた加熱制御内容を、容易に認識できる。さらに、提示される加熱制御内容を、温度の表示の左右の△表示を押下などの操作により、任意に調整できる。
【００５２】
なお、本実施の形態では、図５に示すように、加熱庫内に存在する複数の食品や食器の全てを提示する例で説明したが、これに限られない。例えば、図示しない提示モードの切換スイッチにより、図６に示すように、複品判定部１０９で抽出したブロック単位ごとに、１つずつ拡大して提示してもよい。また、図５および図６に示すいずれの場合でも、例えば設定部１０７での設定時においては、選択している対象の画像を拡大して提示してもよい。これにより、使用者は、加熱制御内容を、より容易に認識できる。
【００５３】
また、本実施の形態では、操作部１１６で加熱開始の指示が出された場合、表示部１１５で提示された加熱制御内容をそのまま保持してもよい。つまり、格納部１０８への画像の特徴量に関する情報や加熱制御内容の変更は、行わなくてもよい。これにより、使用者は、加熱制御内容を設定することなく、加熱調理器による加熱を行える。
【００５４】
また、本実施の形態では、表示部１１５に加熱制御内容の提示がない場合、設定部１０７で加熱制御内容を変更してもよい。例えば、提示される加熱制御内容を、温度の表示の左右の△表示を押下などの操作により、任意に調整する。このとき、操作部１１６で加熱開始の指示が出された場合、制御部１１２は、格納部１０８へ、画像の特徴量と、変更した加熱制御内容とを紐付けて新規登録してもよい。これにより、今後、同じ食品や食器を加熱する場合には、加熱制御内容を、表示部１１５に表示できる。
【００５５】
さらに、本実施の形態では、使用者が操作部１１６を介して、提示された加熱制御内容を設定部１０７で加熱制御内容を変更した場合、格納部１０８に格納されている画像の特徴量や加熱制御内容の更新を行ってもよい。これにより、今後、同じ食品や食器を加熱する場合には、より適切な加熱制御内容を、表示部１１５に表示できる。
【００５６】
また、本実施の形態では、格納部１０８に格納された情報は、加熱制御内容とともに、記憶された格納部１０８への格納からの経過時間に基づいて、削除してもよい。これにより、記憶容量の増大を抑制できる。この場合、情報の登録容量に応じて、更新や新規登録が行われなかった古い情報から削除することが好ましい。
【００５７】
また、本実施の形態では、格納部１０８へ格納する画像情報を、画像の特徴量とともに、その画像自体の情報も紐付けて記憶するように構成している。これにより、後で、画像を確認できるように構成している。しかし、例えば特徴量のみを記憶する構成としてもよい。
【００５８】
また、本実施の形態では、操作部１１６で加熱開始の指示が行われた場合、格納部１０８への画像の特徴量の変更を行わない例で説明したが、これに限られない。例えば、最新の画像の特徴量に更新する、あるいは特徴量を平均化して更新する構成としてもよい。これにより、今後、同じ食品や食器を加熱する場合には、より適切な加熱制御内容を、表示部１１５に表示できる。
【００５９】
また、本実施の形態では、撮影部１０６で予め撮影するタイミングとして、加熱調理器の電源がＯＮになった時点を例に説明したが、これに限られない。例えば、加熱庫内が空の状態であれば、撮影のタイミングは任意でよい。
【００６０】
また、本実施の形態では、格納部１０８への新規画像登録を、複品判定部１０９で複品と判定されるか否かにかかわらず、以下の条件において実行している。つまり、格納部１０８に登録された画像がない場合や、登録された画像との差分が所定値以上の場合で、かつ加熱指示が行われた時に登録しているが、これに限られない。例えば、複品判定部１０９で単品（１つの食品）と判定された場合のみで、かつ加熱指示が行われた時に登録してもよい。これにより、単品での、より適切な加熱制御内容を登録できる。
【００６１】
また、本実施の形態では、制御内容特定部１１３で特定した加熱制御内容がない場合、表示部１１５に加熱制御内容を表示しない例で説明したが、これに限られない。例えば、予め準備したデフォルトの加熱制御内容を表示してもよい。これにより、使用者は、加熱制御内容の設定を簡単に行える。
【００６２】
また、本実施の形態では、格納部１０８に登録された情報を、登録からの経過時間に基づいて、登録容量や、更新や新規登録の無い古い情報から削除する例で説明したが、これに限られない。例えば、使用者が、任意の登録画像を呼び出して、指定して削除してもよい。これにより、記憶容量の増大を抑制できる。
【００６３】
また、本実施の形態では、報知部として表示部１１５を例に説明したが、これに限られない。例えば、音声で知らせるための音声合成装置などからなる音声発生部などで報知部を構成してもよい。これにより、目が不自由な使用者であっても簡単に加熱制御内容を設定できる。
【００６４】
また、本実施の形態では、複品判定部１０９、特徴量算出部１１０、類似度判定部１１１、制御部１１２、制御内容特定部１１３、表示制御部１１４などを個別に構成した例で説明したが、これに限られない。例えば、上記各構成要素の機能を、１つの制御部の中に組み込んで、組み込んだ制御部で実行する構成としてもよい。これにより、加熱調理器の低コスト化ができる。
【００６５】
以上のように、本実施の形態の加熱調理器は、開閉自在のドアが取り付けられた加熱庫と、加熱庫に収納された食品を加熱する加熱部であるマグネトロン１０１およびヒータ１０２と、加熱庫内を撮影する撮影部１０６と、加熱制御内容を設定する設定部１０７と、撮影部１０６で撮影された画像と設定部１０７で設定された加熱制御内容を紐づけて記憶する格納部１０８を備える。さらに、食品が複数種類かどうかを判定する複品判定部１０９と、撮影部１０６が撮影した複数の画像の類似度を判定する類似度判定部１１１と、類似度判定部１１１での判定結果に応じて撮影部１０６で撮影された食品に対応する加熱制御内容を特定する制御内容特定部１１３と、加熱制御内容を提示する表示部１１５と、制御部１１２を備える。制御部１１２は、複品判定部１０９により食品が単品と判定した場合、１つの加熱制御内容を、表示部１１５に提示する。また、制御部１１２は、複品判定部１０９により食品が複数種類である判定した場合、複数の加熱制御内容を食品の種類ごとに表示部１１５に提示する。これにより、単品の食品や、複数の食品が加熱庫内に収容された場合、加熱制御内容などの各々の設定を簡単に行うことができる。また、使用者が意識しない日々の操作の中で、今回判定された食品などに該当する、以前に設定した加熱制御内容などがあれば、自動で呼び出して提示する。その結果、使用者の好みに応じて加熱できる、使い勝手に優れる加熱調理器を実現できる。
【００６６】
また、本実施の形態の加熱調理器は、複品判定部１０９により食品が複数種類存在すると判定された場合、制御部１１２は、表示部１１５に撮影部１０６で撮影された複数の食品の画像を分割して提示する。このとき、分割した各々の画像を、そのまま、または拡大して提示する。同時に、分割した画像毎に加熱制御内容を、表示部１１５に提示する。これにより、複数の食品が加熱庫内に収容された場合でも、使用者が加熱庫内の個々の食品を、より確認しやすくなる。そのため、加熱制御内容などの各々の設定を、より簡単に行える加熱調理器を実現できる。
【００６７】
（実施の形態２）
以下に、本発明の実施の形態２の加熱調理器について、図７および図８を用いて説明する。
【００６８】
図７は、本発明の実施の形態２における加熱調理器の構成を示すブロック図である。図８は、同加熱調理器の動作を示すフローチャートである。
【００６９】
つまり、本実施の形態の加熱調理器は、図７に示すように、制御内容特定部１１３内に熱源判定部１１７を、さらに備える点で、実施の形態１とは異なる。それ以外の構成要素は、実施の形態１と同様であるので、同一符号、同一名称を用いて、詳細な説明は省略する。
【００７０】
そして、本実施の形態の加熱調理器は、食品や食器に紐付けされて抽出された加熱制御内容に基づいて、熱源判定部１１７で所定の熱源を判定して、食品を加熱する構成を備える。
【００７１】
以上のように、本実施の形態の加熱調理器は構成される。
【００７２】
以下に、上記構成を有する加熱調理器の動作および作用について、図８を用いて説明する。
【００７３】
まず、事前に加熱庫内の空の状態を撮影し、食品などを収容してドアを閉じた後、再び、撮影部で加熱庫内を撮影する。そして、制御内容特定部１１３は、ブロックごとに類似画像と紐付く加熱制御内容の抽出を行う。以上の動作は、図２を用いて説明した実施の形態１の動作と同様である。
【００７４】
すなわち、まず、実施の形態１と同様に、図２に示すステップＳ１〜ステップＳ７までの動作を行う。
【００７５】
そして、本実施の形態のポイントである、図８のステップＳ３１〜ステップＳ４３までの動作を行う。そのため、図２に示すステップＳ１〜ステップＳ７までの動作の説明は、省略する。
【００７６】
具体的に、実施の形態２のおける加熱調理器の動作について、図８を参照しながら説明する。
【００７７】
図８に示すように、まず、制御内容特定部１１３は、設定部１０７で設定されている設定内容、例えば選択されたメニューがあるか否かを判定する（ステップＳ３１）。なお、設定内容は、設定が確定している内容に限らず、設定途中の時点で選択されている使用熱源に関わる加熱制御内容も含まれる。選択されたメニューがある場合（ステップＳ３１のＹ）、ステップＳ３２に移行する。具体的には、使用者が、例えばメニューの「あたため」選択している場合や、事前にデフォルトメニューとして「あたため」が選択されている場合が該当する。
【００７８】
つぎに、制御部１１２は、制御内容特定部１１３で、抽出される画像と紐づけて格納部１０８に格納された加熱制御内容があるか否かを判定する（ステップＳ３２）。抽出される加熱制御内容がある場合（ステップＳ３２のＹ）、複品判定部１０９で複数種類の食品（複品）か否かを判定する（ステップＳ３３）。
【００７９】
このとき、単品と判定された場合（ステップＳ３３のＮ）、熱源判定部１１７は、抽出された加熱制御内容の熱源と、メニューの熱源と一致するか否かを判定する（ステップＳ３６）。つまり、熱源判定部１１７は、選択されたメニューの「あたため」に使用する熱源が、抽出された類似画像と紐付く加熱制御内容の熱源と一致するか否かを判定する。具体的には、メニューの熱源がマグネトロン１０１のみで、抽出された加熱制御内容の熱源がマグネトロン１０１のみで加熱制御を行う場合に相当する。つまり、加熱制御内容の熱源がメニューの熱源と一致する場合（ステップＳ３６のＹ）、抽出した加熱制御内容を、そのブロックの加熱制御内容と特定する。そして、制御部１１２は、特定した加熱制御内容の情報を表示制御部１１４へ送り、表示部１１５に提示する（ステップＳ４１）。そして、ステップＳ３１に戻り、同様の処理を実行する。
【００８０】
一方、抽出された類似画像と紐付く加熱制御内容の熱源が、メニューの熱源と一致しない場合（ステップＳ３６のＮ）、一致しないブロックについては、メニューのデフォルトの加熱制御内容を表示部１１５に提示する（ステップＳ３８）。具体的には、該当する加熱制御内容（例えば、選択された「あたため」メニューのデフォルトの加熱制御内容である、固定の目標温度や加熱時間、もしくは前回使用した目標温度や加熱時間など）を、そのブロックの加熱制御内容として表示部１１５で表示する。そして、ステップＳ３１に戻り、同様の処理を実行する。
【００８１】
また、ステップＳ３３で、複品判定部１０９が複数種類の食品（複品）と判定した場合（ステップＳ３３のＹ）、制御内容特定部１１３は、熱源判定部１１７の判定に基づいて、抽出された加熱制御内容の熱源のうち、選択されたメニューの熱源と一致する加熱制御内容の熱源を特定する（ステップＳ３４）。具体的には、抽出したブロックごとに類似画像と紐付く加熱制御内容の熱源のうち、マグネトロン１０１のみで加熱制御を行う加熱制御内容の熱源のみを、そのブロックの加熱制御内容と特定する。そして、特定した加熱制御内容の情報を表示制御部１１４へ送り、表示部１１５に提示する。
【００８２】
このとき、ステップ３４で加熱制御内容が特定できないブロックについては、メニューの熱源のデフォルトの加熱制御内容を表示部１１５に提示する（ステップ３５）。具体的には、該当するデフォルトの加熱制御内容（例えば選択された「あたため」メニューのデフォルトの加熱制御内容である、固定の目標温度や加熱時間、もしくは前回使用した目標温度や加熱時間など）を、そのブロックの加熱制御内容として表示部１１５で表示する。そして、ステップＳ３１に戻り、以降の処理を実行する。
【００８３】
同様に、制御内容特定部１１３は、抽出したブロックごとに類似画像と紐づく加熱制御内容で特定した熱源のうち、熱源判定部１１７で判定した選択メニューで使用する熱源が、例えばヒータ１０２のみであれば、ヒータ１０２のみで加熱制御を行う加熱制御内容の熱源のみを特定する。一方、熱源判定部１１７で判定した使用熱源が、マグネトロン１０１とヒータ１０２であれば、マグネトロン１０１とヒータ１０２で加熱制御を行う加熱制御内容の熱源を、そのブロックの加熱制御内容と特定する。そして、特定した加熱制御内容の情報を表示制御部１１４へ送り、表示部１１５に提示する。
【００８４】
すなわち、ステップＳ３３において、制御内容特定部１１３は、複品判定部１０９により食品が単品と判定された場合（ステップＳ３３のＮ）、１つの加熱制御内容について、熱源判定部１１７が判定した使用熱源と一致する熱源のみを、そのブロックの加熱制御内容と特定して、表示制御部１１４へ情報を送る。一方、複品判定部１０９により食品が複数種類（複品）と判定された場合（ステップＳ３３のＹ）、複数の加熱制御内容の全てについて、熱源判定部１１７が判定した使用熱源と一致する熱源を、そのブロックの加熱制御内容と特定して、表示制御部１１４へ情報を送る。
【００８５】
なお、制御内容特定部１１３は、設定部１０７での設定が確定するまでに、選択されている加熱制御内容の熱源に関する内容が変更されるごとに、熱源判定部１１７が判定した使用熱源による情報の絞り込みを行う。そして、絞り込んだ情報を表示制御部１１４へ情報を送る。
【００８６】
また、ステップ３２において、制御内容特定部１１３が画像と紐付けて格納部１０８に格納されている加熱制御内容を抽出していない場合（ステップＳ３２のＮ）、抽出されていないブロックについては、メニューのデフォルトの加熱制御内容を表示部１１５に提示する（ステップＳ３８）。具体的には、該当するデフォルトの加熱制御内容（例えば選択された「あたため」メニューのデフォルト加熱制御内容である、固定の目標温度や加熱時間、もしくは前回使用した目標温度や加熱時間など）を、表示部１１５で表示する。そして、ステップＳ３１に戻り、同様の処理を実行する。
【００８７】
一方、ステップ３１において、制御内容特定部１１３が、設定部１０７で設定されている設定内容、例えば選択されたメニューがない場合（ステップＳ３１のＮ）、制御内容特定部１１３は、抽出されたブロックごとに類似画像と紐付く加熱制御内容があるか否かを判定する（ステップＳ３９）。抽出された加熱制御内容がある場合（ステップＳ３９のＹ）、複品判定部１０９で複数種類の食品（複品）か否かを判定する（ステップＳ４０）。
【００８８】
このとき、食品が単品と判定された場合（ステップＳ４０のＮ）、制御部１１２は、抽出した加熱制御内容を、特定した加熱制御内容として、表示制御部１１４へ情報を送り、表示部１１５に提示する（ステップ４１）。
【００８９】
一方、食品が複品と判定された場合（ステップＳ４０のＹ）、制御内容特定部１１３は、熱源判定部１１７の判定に基づいて、紐付ける加熱制御内容が抽出された複数の加熱制御内容の全ての使用熱源について、確認する。そして、最も多い使用熱源の加熱制御内容と紐づくブロックのみについて、加熱制御内容を特定する。特定した加熱制御内容の情報を表示制御部１１４へ送り、表示部１１５に提示する（ステップ４２）。
【００９０】
このとき、ステップ４２で加熱制御内容が特定できないブロックについては、最も多い使用熱源のデフォルトの加熱制御内容を表示部１１５に提示する（ステップ４３）。そして、ステップＳ３１に戻り、同様の処理を実行する。
【００９１】
また、ステップＳ３９において、抽出されたブロックごとに類似画像と紐付く加熱制御内容がない場合（ステップＳ３９のＮ）、制御部１１２は、表示制御部１１４へ情報を送らず、表示部１１５に表示しない（ステップＳ４４）。そして、ステップＳ３１に戻り、同様の処理を実行する。
【００９２】
なお、制御内容特定部１１３は、設定部１０７での設定が確定するまでに、選択されている加熱制御内容の熱源に関する内容が変更されるごとに、熱源判定部１１７が判定した使用熱源による特定した情報の絞り込みを行う。そして、選択されたメニューがある場合と同様に、絞り込んだ情報を表示制御部１１４へ情報を送る。
【００９３】
また、ステップＳ４２において、複品判定部１０９で判定されたブロックの数が偶数の場合で、かつ熱源判定部１１７で使用熱源が同じと判定されたブロックの数が同数の場合、複品判定部１０９により分割した画像のサイズが最も大きいブロックの属する使用熱源の加熱制御内容を特定する。そして、特定したブロックの加熱制御内容の情報を、表示制御部１１４へ送る。一方、いずれにも該当しない場合には、表示制御部１１４へ情報を送らず、表示部１１５に表示しない。
【００９４】
以上のように、本実施の形態の加熱調理器は、制御内容特定部１１３に、熱源判定部１１７を備える。
【００９５】
そして、表示部１１５は、制御内容特定部１１３で特定した予め選択されている加熱制御内容、もしくは設定部１０７で選択されている加熱源と一致する加熱制御内容のみを提示する。これにより、使用者の意図にあった設定内容で、より早く加熱可能な加熱制御内容を提示できる。
【００９６】
また、複品判定部１０９が撮影部１０６で撮影した食品の画像情報から食品が複数種類だと判定し、かつ制御内容特定部１１３が複数の種類について特定した加熱制御内容の中の加熱源が異なる場合、つぎのように動作する。
【００９７】
つまり、上記の状況において、予め選択されている加熱制御内容、もしくは設定部１０７で選択されている加熱制御内容の加熱源がない時は、表示部１１５は、特定した制御内容で最も多い加熱源の加熱制御内容のみを提示する。これにより、加熱庫内に入れた食品に応じて、使用者の意図にあった設定内容で、より早く加熱可能な加熱制御内容を提示できる。
【００９８】
さらに、複品判定部１０９が撮影部１０６で撮影した食品画像情報から食品が複数種類だと判定し、かつ制御内容特定部１１３が複数の種類について特定した加熱制御内容の中に加熱源が異なる場合、つぎのように動作する。
【００９９】
つまり、上記状況において、予め選択されている加熱制御内容、もしくは設定部で選択されている加熱制御内容の加熱源がない場合、表示部１１５は、特定した加熱制御内容のうち、複品判定部１０９により分割した最も大きい画像サイズに紐付く加熱制御内容のみを提示する。これにより、加熱庫内に入れた食品に応じて、使用者の意図にあった設定内容で、より早く加熱可能な加熱制御内容を提示できる。
【０１００】
なお、本実施の形態では、設定部１０７で選択されている使用熱源に関わる加熱制御内容をメニューとして表示する構成を例に説明したが、これに限られない。例えば、「レンジ」、「グリル」などの熱源を、直接指定する加熱制御内容に関わる使用熱源であれば、加熱制御内容は任意としてもよい。
【０１０１】
また、本実施の形態では、複品判定部１０９、特徴量算出部１１０、類似度判定部１１１、制御部１１２、制御内容特定部１１３、表示制御部１１４などを個別の構成および名称で説明したが、これに限られない。例えば、上記各構成要素の機能を、１つの制御部の中に組み込んで、組み込んだ制御部で実行する構成としてもよい。また、上記構成要素や回路を、全て制御部と称してもよい。
【０１０２】
以上で説明したように、本発明の加熱調理器は、加熱庫に収納された食品を加熱する加熱部と、加熱庫内の食品または食器を撮影する撮影部と、加熱部による加熱制御内容を設定する設定部と、撮影部で撮影された画像と設定部で設定された加熱制御内容とを関連付けて格納する格納部と、加熱制御内容を報知する報知部と、制御部を備える。制御部は、撮影部で撮影された画像に存在する食品または食器の数に基づいて、対応する食品または食器の加熱制御内容を報知するように報知部を制御する構成としてもよい。
【０１０３】
この構成によれば、単品の食品や複数の食品を加熱庫内に入れて加熱する場合、各々の加熱制御内容の設定を簡単に行うことができる。また、使用者が以前に設定した加熱制御内容に該当する加熱制御内容があれば、自動で呼び出して報知部に提示する。これにより、使用者の好みに応じて加熱できる、使い勝手に優れる加熱調理器を実現できる。
【０１０４】
また、本発明の加熱調理器は、開閉可能な扉を有する加熱庫と、扉の開閉を検知する開閉検知部を、さらに備える。制御部は、扉が開状態から閉状態に変化したことを開閉検知部が検知すると、撮影部で加熱庫内の食品または食器を撮影し、撮影部が撮影した加熱庫内の食品または食器の画像と格納部に格納された画像との比較を行う。さらに、制御部は、撮影部で撮影された画像に存在する食品または食器の数に基づいて、対応する食品または食器の加熱制御内容を報知するように報知部を制御する構成としてもよい。
【０１０５】
この構成によれば、複数の食品を加熱庫内に入れて加熱する場合でも、使用者は、加熱庫内の個々の食品を、より確認しやすくなる。これにより、使用者は、各々の加熱制御内容の設定を簡単に行うことができる。
【０１０６】
また、本発明の加熱調理器の報知部は、表示部を備え、制御部は、撮影部が撮影した画像に、食品または食器が複数種類存在すると判定すると、表示部に、撮影された画像に存在する食品または食器ごとに複数の画像に分割し、分割した画像をそのまま、または個別に拡大して表示するとともに、表示した画像ごとに対応する加熱制御内容を表示してもよい。
【０１０７】
これにより、加熱庫内に入れた食品に応じて、使用者の意図にあった設定内容で、より早く加熱可能な加熱制御内容を提示できる。
【０１０８】
また、本発明の加熱調理器は、撮影部で撮影された画像に食品または食器が含まれている場合、制御部は、画像に含まれる食品または食器に対応する加熱制御内容を抽出し、抽出した加熱制御内容に対応する加熱源と、設定部で設定された加熱制御内容に対応する加熱源とが一致すれば、加熱制御内容を報知部により報知する構成としてもよい。
【０１０９】
これにより、加熱庫内に入れた食品に応じて、使用者の意図にあった設定内容を、使用者により早く提供できる。
【０１１０】
また、本発明の加熱調理器は、撮影部で撮影された画像に複数の食品または食器が含まれている場合、制御部は、画像に含まれる複数の食品または食器に対応する複数の加熱制御内容を抽出する。そして、抽出した複数の加熱制御内容に対応する加熱源が異なると判定されるか、または、予め設定部で設定された加熱制御内容に対応する加熱源がないと判定されると、抽出した複数の加熱制御内容に対応する加熱源のうち、最も多く用いられる加熱源のみを報知部により報知する構成としてもよい。
【０１１１】
これにより、加熱庫内に入れた食品に応じて、使用者の意図にあった設定内容を、使用者により早く提供できる。
【０１１２】
また、本発明の加熱調理器の制御部は、撮影部で撮影した画像から複数種類の食品が存在すると判定する場合、撮影した食品に対応する加熱制御内容と加熱源を判定する。そして、判定した加熱源が食品に応じて異なる場合、または、予め設定部で設定された加熱制御内容の加熱源が撮影した画像に対応する加熱源と異なる場合、報知部は、設定した加熱制御内容のうち、分割した画像サイズの最も大きい加熱制御内容に紐付く加熱制御内容のみを提示する構成としてもよい。
【０１１３】
これにより、加熱庫内に入れた食品に応じて、使用者の意図にあった設定内容をより早く提供する加熱調理器を実現できる。
【産業上の利用可能性】
【０１１４】
本発明の加熱調理器は、単品の食品や、複数の食品を加熱庫内に入れた場合、各々の加熱制御内容の設定を簡単に行うことができる。また、以前に設定した加熱制御内容に該当する加熱制御内容があれば、自動で呼び出して提示する。そのため、家庭内だけでなく業務用などの加熱調理器としても有用である。
【符号の説明】
【０１１５】
１０１    マグネトロン（加熱部）
１０２    ヒータ（加熱部）
１０３    赤外線センサ
１０４    サーミスタ
１０５    ドアスイッチ（開閉検知部）
１０６    撮影部
１０７    設定部
１０８    格納部
１０９    複品判定部
１１０    特徴量算出部
１１１    類似度判定部
１１２    制御部
１１３    制御内容特定部
１１４    表示制御部
１１５    表示部（報知部）
１１６    操作部
１１７    熱源判定部
【図１】
2016199378.tif 000003
【図２】
2016199378.tif 000004
【図３Ａ】
2016199378.tif 000005
【図３Ｂ】
2016199378.tif 000006
【図４】
2016199378.tif 000007
【図５】
2016199378.tif 000008
【図６】
2016199378.tif 000009
【図７】
2016199378.tif 000010
【図８】
2016199378.tif 000011
【手続補正書】
【提出日】平成29年10月18日(2017.10.18)
【手続補正１】
【補正対象書類名】明細書
【補正対象項目名】全文
【補正方法】変更
【補正の内容】
【発明の詳細な説明】
【技術分野】
【０００１】
本発明は、食品を加熱する加熱調理器に関する。
【背景技術】
【０００２】
加熱調理器の一例であるオーブンレンジは、マイクロ波加熱の他に、オーブン、グリル、スチームなどの複数の加熱源を備える。加熱調理器は、複数の加熱源の中から適切な加熱源を選択して、食品を加熱する。これにより、多種多様な調理を可能にしている。
【０００３】
しかし、多種多様な調理に対応するために、加熱源の制御内容の設定操作が煩雑となる。
【０００４】
そこで、従来、カメラを搭載したオーブンレンジで食器を撮影し、予め登録されている食器に対応する調理方法で調理を行う技術が開示されている（例えば、特許文献１参照）。
【０００５】
また、食品ごとに異なる仕上げ温度を設定して、仕上がり状況を映像により報知する加熱調理器が開示されている（例えば、特許文献２参照）。
【０００６】
しかしながら、特許文献１に記載の技術は、予め食器を撮影して登録する必要がある。そのため、ユーザにとって、面倒な操作が必要となる。
【０００７】
また、特許文献２に記載の技術は、ユーザが食品を指定して温度設定を行う必要がある。つまり、ユーザは、表示画像をタッチして食品を指定し、さらに温度の増減ボタンを押下して温度設定を行う必要がある。そのため、ユーザにとって、面倒な操作が必要となる。
【先行技術文献】
【特許文献】
【０００８】
【特許文献１】特開２００５−１４０４１８号公報
【特許文献２】特開２００２−２４３１６６号公報
【発明の概要】
【０００９】
本発明は、単品や複数の食品を加熱庫内に入れた場合でも、使用者は、各々の加熱制御内容の設定を簡単に行うことが可能である。また、使用者が以前に設定した食品に該当する食品があれば、自動で呼び出して提示する。これにより、使用者の好みに応じて加熱処理可能な、使い勝手に優れる加熱調理器を提供する。
【００１０】
つまり、本発明の加熱調理器は、加熱庫に収納された食品を加熱する加熱部と、加熱庫内の食品または食器を撮影する撮影部と、加熱部による加熱制御内容を設定する設定部と、撮影部で撮影された画像と設定部で設定された加熱制御内容とを関連付けて格納する格納部と、加熱制御内容を報知する報知部と、制御部を備える。制御部は、撮影部で撮影された画像に存在する食品または食器の数に基づいて、対応する食品または食器の加熱制御内容を報知するように報知部を制御する。
【００１１】
この構成によれば、単品の食品や複数の食品を加熱庫内に入れて加熱する場合、各々の加熱制御内容の設定を簡単に行うことができる。また、使用者が以前に設定した加熱制御内容に該当する加熱制御内容があれば、自動で呼び出して報知部に提示する。これにより、使用者の好みに応じて加熱できる、使い勝手に優れる加熱調理器を実現できる。
【００１２】
具体的には、使用者が、通常の加熱制御内容の設定と加熱開始の指示を行うと、自動的に食品の画像と加熱制御内容とを関連付けて、対応テーブルとして格納部に格納する。そして、次に同様の食品が、カメラなどの撮影部で撮影した画像から認識されると、加熱庫内にある食品が単品、または複数でも、使用者に所望の加熱制御内容を提示する。これにより、使い勝手に優れる加熱調理器を提供できる。
【図面の簡単な説明】
【００１３】
【図１】図１は、本発明の実施の形態１における加熱調理器の構成を示すブロック図である。
【図２】図２は、同加熱調理器の動作を示すフローチャートである。
【図３Ａ】図３Ａは、同加熱調理器の食品が複数種類かどうかを判定する一例を示す図である。
【図３Ｂ】図３Ｂは、同加熱調理器の食品が複数種類かどうかを判定する一例を示す図である。
【図４】図４は、同加熱調理器の類似度判定部の動作を示すフローチャートである。
【図５】図５は、同加熱調理器の表示部の提示例を示す図である。
【図６】図６は、同加熱調理器の表示部の他の提示例を示す図である。
【図７】図７は、本発明の実施の形態２における機器の構成を示すブロック図である。
【図８】図８は、同加熱調理器の動作を示すフローチャートである。
【発明を実施するための形態】
【００１４】
以下、本発明の実施の形態について、図面を参照しながら説明する。なお、この実施の形態によって本発明が限定されるものではない。
【００１５】
（実施の形態１）
以下に、本発明の実施の形態１の加熱調理器について、図１を用いて説明する。
【００１６】
図１は、本発明の実施の形態１における加熱調理器の構成を示すブロック図である。
【００１７】
図１に示すように、本実施の形態の加熱調理器は、マグネトロン１０１、ヒータ１０２、赤外線センサ１０３、サーミスタ１０４、開閉検知部を構成するドアスイッチ１０５、撮影部１０６、設定部１０７、格納部１０８、複品判定部１０９、特徴量算出部１１０、類似度判定部１１１、制御部１１２などを備える。マグネトロン１０１とヒータ１０２は、例えば食品を加熱する加熱部を構成する。赤外線センサ１０３は、食品の温度を検知する。サーミスタ１０４は、加熱庫内の温度を検知する。ドアスイッチ１０５は、加熱庫内のドアの開閉を検知する。撮影部１０６は、例えばＣＣＤ（Ｃｈａｒｇｅ  Ｃｏｕｐｌｅｄ  Ｄｅｖｉｃｅ）などの撮像素子から構成され、加熱庫内を撮影する。設定部１０７は、食品や食器などに対応して、加熱部による加熱制御内容を設定する。格納部１０８は、例えばフラッシュメモリなどの不揮発性メモリから構成され、例えば食品と関連付いた加熱制御内容などを格納する。複品判定部１０９は、加熱庫内の食品が複数あるかどうかを判定する。特徴量算出部１１０は、撮影部１０６で撮影した画像から、食品や食器などの特徴量を算出する。類似度判定部１１１は、撮影部１０６で撮影した画像から、食品や食器などの類似度を算出する。
【００１８】
制御部１１２は、赤外線センサ１０３で検知した食品の温度を監視しながら、設定部１０７で設定された加熱制御内容に基づいて、食品を加熱する加熱部を制御する。
【００１９】
また、制御部１１２は、例えばＣＰＵ（Ｃｅｎｔｒａｌ  Ｐｒｏｃｅｓｓｉｎｇ  Ｕｎｉｔ）などのマイクロプロセッサーから構成され、加熱部の制御以外に、各回路を制御する。
【００２０】
さらに、制御部１１２は、制御内容特定部１１３を備える。制御内容特定部１１３は、加熱庫内に置かれている食品の加熱制御をどのようにすべきかの候補を特定する。
【００２１】
また、図１に示すように、加熱調理器は、報知部の一例である表示部１１５、表示制御部１１４、操作部１１６などを、備える。表示部１１５は、例えば液晶表示装置から構成され、加熱制御内容などを表示する。表示制御部１１４は、表示部１１５の表示を制御する。操作部１１６は、例えばタッチパネルやキーボードなどから構成され、タッチや押下操作などにより、加熱の開始や各種操作を行う。
【００２２】
以上のように、本実施の形態の加熱調理器は構成される。
【００２３】
以下に、上記構成を有する加熱調理器の動作および作用について、図２から図４を用いて説明する。
【００２４】
図２は、同加熱調理器の動作を示すフローチャートである。図３Ａおよび図３Ｂは、同加熱調理器の食品が複数種類かどうかを判定する一例を示す図である。図４は、同加熱調理器の類似度判定部の動作を示すフローチャートである。
【００２５】
図２に示すように、制御部１１２は、まず、加熱調理器の電源が投入されると、撮影部１０６を制御して、加熱庫内を撮影する（ステップＳ１）。そして、撮影した画像情報を格納部１０８に格納する。なお、ステップＳ１は、加熱庫内が空の状態の画像情報を、予め格納部１０８に格納するための処理である。
【００２６】
つぎに、制御部１１２は、開閉検知部を構成するドアスイッチ１０５からドアが開閉されたか否かを判定する（ステップＳ２）。ドアの開状態から閉状態への変化がない場合（ステップＳ２のＮ）、ドアが閉状態になるまで待機する。
【００２７】
一方、ドアが開状態から閉状態に変化したと判定すると（ステップＳ２のＹ）、制御部１１２は、撮影部１０６を制御して、加熱庫内の撮影を行う（ステップＳ３）。このとき、図３Ａに示すような、例えば食品や食器などが収容された画像が、撮影される。
【００２８】
つぎに、制御部１１２は、撮影した加熱庫内の画像を複品判定部１０９に送信する。複品判定部１０９は、ステップＳ１で撮影した格納部１０８に格納した空の加熱庫内の画像と、ステップＳ３で撮影した加熱庫内の画像との差分を算出して、２値化する（ステップＳ４）。具体的には、画像を複数の画素に分割し、画素ごとに輝度信号の差分を求めて、その値を２値化する。
【００２９】
つぎに、制御部１１２は、類似度判定部１１１を制御して、ラベリング処理を実行して固まり（以下、「ブロック」と称する）の数を算出する（ステップＳ５）。なお、ラベリング処理は、図３Ｂに示すように、類似度判定部１１１で、任意の画素と、その近傍の画素について分類を行い、画素ごとの代表値が類似する連続した画素には同じ番号を振り、同じ番号を振った複数の画素を、１つのブロックとする処理である。そして、類似度判定部１１１は、ラベリング処理により、画像内にブロックが何個あるかを判定する。
【００３０】
具体的に説明すると、類似度判定部１１１は、まず、予め撮影した空の加熱庫内の画像と、今回撮影した加熱庫内の画像の画素ごとの輝度（あるいは、色あいなど）の比較を行い、数値化する。そして、類似度判定部１１１は、同じまたは所定の範囲内の数値の画素は連続していると判定する。
【００３１】
このとき、複品判定部１０９は、ラベリング処理したいくつかのブロックのうち、所定サイズ以上のブロックの個数を抽出する。なお、例えば醤油皿や子供用の食器の大きさを想定した場合、円状であれば直径５ｃｍ以上、矩形状であれば一辺５ｃｍを、食品のブロックの所定のサイズとして判定する。
【００３２】
つぎに、特徴量算出部１１０は、複品判定部１０９が食品として抽出した画素のブロックごとに、特徴量を算出する。そして、類似度判定部１１１は、算出された特徴量と、格納部１０８に記憶されている過去の画像との類似度比較を行う（ステップＳ６）。
【００３３】
以下に、図４を用いて、ステップＳ６における処理について、より具体的に説明する。
【００３４】
まず、図４に示すように、制御部１１２は、特徴量算出部１１０で、撮影部１０６で撮影した画像情報の各画素における色信号（例えば、ＲＧＢ信号）の明るさのヒストグラムを算出する（ステップＳ２１）。
【００３５】
つぎに、制御部１１２は、格納部１０８に、予め登録されている画像があるか否かを判定する（ステップＳ２２）。登録されている画像がない場合（ステップＳ２２のＮ）、以下で説明するステップ２７の処理を実行する。
【００３６】
一方、登録されている画像がある場合（ステップＳ２２のＹ）、制御部１１２は、類似度判定部１１１を制御して、ステップＳ３で今回撮影した画像情報の画素サイズと同じサイズになるように、格納部１０８に格納されている画素サイズを変換する（ステップＳ２３）。
【００３７】
つぎに、類似度判定部１１１は、今回撮影した画像の各画素のＲＧＢ信号のヒストグラムの合計値と、格納部１０８に格納されている画像の各画素のＲＧＢ信号のヒストグラムの合計値との差分を取る。そして、類似度判定部１１１は、差分が最小となるか否かを判定する（ステップＳ２４）。差分が最小でない場合（ステップＳ２４のＮ）、格納部１０８に格納されている別の画像の各画素のＲＧＢ信号のヒストグラムの合計値との差分を取り、判定を繰り返す。
【００３８】
つぎに、差分が最小である場合（ステップＳ２４のＹ）、類似度判定部１１１は、抽出した画像のヒストグラムの差分が予め定められた所定値未満か否かを判定する（ステップＳ２５）。差分が所定値以上と判定された場合（ステップＳ２５のＮ）、以下で説明するステップ２７の処理を実行する。
【００３９】
一方、差分が所定値未満と判定された場合（ステップＳ２５のＹ）、制御部１１２は、ステップ２４で判定した画像の情報を類似画像と確定する（ステップＳ２６）。そして、類似度判定部１１１の類似度比較処理を終了する。
【００４０】
また、登録されている画像がない場合（ステップＳ２２のＮ）、および差分の合計値が所定値未満と判定された場合（ステップＳ２５のＮ）、制御部１１２は、類似画像がないと判定する。そして、制御部１１２は、表示部１１５に、例えば「類似画像が登録されていません」などのメッセージを表示する。これにより、ユーザに、類似する画像が登録されていないことを報知する。あるいは、制御部１１２は、今回撮影した画像情報を、新規の画像として、特徴量である初期画像との差分の色のヒストグラムとともに、格納部１０８に登録する（ステップＳ２７）。そして、類似度判定部１１１の類似度比較処理を終了する。
【００４１】
なお、上記新規画像の登録処理は、操作部１１６を介して加熱開始の指示が出された場合にのみ、実行される。このとき、新規画像は、加熱制御内容と紐づけて格納部１０８へ登録される。そのため、操作部１１６を介して加熱開始の指示が行われずに、ドアが開けられた場合、格納部１０８への新規画像の登録は行わない。
【００４２】
以上にように、ステップＳ６における類似度判定部１１１の類似度比較処理が、実行される。
【００４３】
つぎに、図２に示すように、制御内容特定部１１３は、類似度判定部１１１で、ブロックごとに、格納部１０８に格納されている類似画像を決定する。そして、決定された類似画像と紐付けて格納部１０８に格納されている加熱制御内容を抽出して読み出す（ステップＳ７）。
【００４４】
つぎに、制御内容特定部１１３は、ブロックごとで提示される加熱制御内容を特定する（ステップＳ８）。このとき、類似度判定部１１１で、格納部１０８に記憶されている類似画像がないと判定された場合、加熱制御内容を特定しない。
【００４５】
つぎに、制御部１１２は撮影した画像情報にブロックが複数存在するか否かを判定する（ステップＳ９）。ブロックが複数存在しない場合（ステップＳ９のＮ）、制御部１１２は、１つのブロックである単品の加熱制御内容の提示処理を行う（ステップＳ１０）。具体的には、制御部１１２は、ステップ８で特定した単品の加熱制御内容を表示部１１５に提示するように、表示制御部１１４を制御する。そして、処理を終了する。
【００４６】
一方、ブロックが複数存在する場合（ステップＳ９のＹ）、制御部１１２は、複数のブロックごとの加熱制御内容の提示処理を行う（ステップＳ１１）。具体的には、制御部１１２は、ステップ８で判定した複数の加熱制御内容を表示部１１５に提示するように、表示制御部１１４を制御する。そして、処理を終了する。
【００４７】
以上により、加熱庫内に存在する食品や食器の数に基づいて、対応するそれぞれの加熱制御内容と紐付けされ、表示部１１５に提示される。
【００４８】
つぎに、上記状態において、制御部１１２は、操作部１１６を介して、使用者が加熱開始の指示を出すと、加熱庫内の食品や食器などの加熱が開始される。このとき、サーミスタ１０４や赤外線センサ１０３で検知した庫内温度や食品などの温度を監視する。そして、検知された温度に基づいて、制御部１１２は、設定部１０７で設定された加熱制御内容に応じて、加熱部を構成するマグネトロン１０１やヒータ１０２で、食品や食器などを加熱する。
【００４９】
以上により、本実施の形態の加熱調理器による加熱動作が実行される。
【００５０】
ここで、上記ステップＳ１０およびステップＳ１１の表示部１１５に提示される一例を、図５を用いて、説明する。
【００５１】
図５に示すように、表示部１１５には、複品判定部１０９で抽出した食品や食器などをブロックごとに、例えば矩形形状で切り出して提示する。同時に、表示部１１５に、切り出した食品や食器などに対応する加熱制御内容である、例えばメニューや、目標温度などを表示する。これにより、使用者は、加熱庫内に収容される食品や食器と関連付けられた加熱制御内容を、容易に認識できる。さらに、提示される加熱制御内容を、温度の表示の左右の△表示を押下などの操作により、任意に調整できる。
【００５２】
なお、本実施の形態では、図５に示すように、加熱庫内に存在する複数の食品や食器の全てを提示する例で説明したが、これに限られない。例えば、図示しない提示モードの切換スイッチにより、図６に示すように、複品判定部１０９で抽出したブロック単位ごとに、１つずつ拡大して提示してもよい。また、図５および図６に示すいずれの場合でも、例えば設定部１０７での設定時においては、選択している対象の画像を拡大して提示してもよい。これにより、使用者は、加熱制御内容を、より容易に認識できる。
【００５３】
また、本実施の形態では、操作部１１６で加熱開始の指示が出された場合、表示部１１５で提示された加熱制御内容をそのまま保持してもよい。つまり、格納部１０８への画像の特徴量に関する情報や加熱制御内容の変更は、行わなくてもよい。これにより、使用者は、加熱制御内容を設定することなく、加熱調理器による加熱を行える。
【００５４】
また、本実施の形態では、表示部１１５に加熱制御内容の提示がない場合、設定部１０７で加熱制御内容を変更してもよい。例えば、提示される加熱制御内容を、温度の表示の左右の△表示を押下などの操作により、任意に調整する。このとき、操作部１１６で加熱開始の指示が出された場合、制御部１１２は、格納部１０８へ、画像の特徴量と、変更した加熱制御内容とを紐付けて新規登録してもよい。これにより、今後、同じ食品や食器を加熱する場合には、加熱制御内容を、表示部１１５に表示できる。
【００５５】
さらに、本実施の形態では、使用者が操作部１１６を介して、提示された加熱制御内容を設定部１０７で加熱制御内容を変更した場合、格納部１０８に格納されている画像の特徴量や加熱制御内容の更新を行ってもよい。これにより、今後、同じ食品や食器を加熱する場合には、より適切な加熱制御内容を、表示部１１５に表示できる。
【００５６】
また、本実施の形態では、格納部１０８に格納された情報は、加熱制御内容とともに、記憶された格納部１０８への格納からの経過時間に基づいて、削除してもよい。これにより、記憶容量の増大を抑制できる。この場合、情報の登録容量に応じて、更新や新規登録が行われなかった古い情報から削除することが好ましい。
【００５７】
また、本実施の形態では、格納部１０８へ格納する画像情報を、画像の特徴量とともに、その画像自体の情報も紐付けて記憶するように構成している。これにより、後で、画像を確認できるように構成している。しかし、例えば特徴量のみを記憶する構成としてもよい。
【００５８】
また、本実施の形態では、操作部１１６で加熱開始の指示が行われた場合、格納部１０８への画像の特徴量の変更を行わない例で説明したが、これに限られない。例えば、最新の画像の特徴量に更新する、あるいは特徴量を平均化して更新する構成としてもよい。これにより、今後、同じ食品や食器を加熱する場合には、より適切な加熱制御内容を、表示部１１５に表示できる。
【００５９】
また、本実施の形態では、撮影部１０６で予め撮影するタイミングとして、加熱調理器の電源がＯＮになった時点を例に説明したが、これに限られない。例えば、加熱庫内が空の状態であれば、撮影のタイミングは任意でよい。
【００６０】
また、本実施の形態では、格納部１０８への新規画像登録を、複品判定部１０９で複品と判定されるか否かにかかわらず、以下の条件において実行している。つまり、格納部１０８に登録された画像がない場合や、登録された画像との差分が所定値以上の場合で、かつ加熱指示が行われた時に登録しているが、これに限られない。例えば、複品判定部１０９で単品（１つの食品）と判定された場合のみで、かつ加熱指示が行われた時に登録してもよい。これにより、単品での、より適切な加熱制御内容を登録できる。
【００６１】
また、本実施の形態では、制御内容特定部１１３で特定した加熱制御内容がない場合、表示部１１５に加熱制御内容を表示しない例で説明したが、これに限られない。例えば、予め準備したデフォルトの加熱制御内容を表示してもよい。これにより、使用者は、加熱制御内容の設定を簡単に行える。
【００６２】
また、本実施の形態では、格納部１０８に登録された情報を、登録からの経過時間に基づいて、登録容量や、更新や新規登録の無い古い情報から削除する例で説明したが、これに限られない。例えば、使用者が、任意の登録画像を呼び出して、指定して削除してもよい。これにより、記憶容量の増大を抑制できる。
【００６３】
また、本実施の形態では、報知部として表示部１１５を例に説明したが、これに限られない。例えば、音声で知らせるための音声合成装置などからなる音声発生部などで報知部を構成してもよい。これにより、目が不自由な使用者であっても簡単に加熱制御内容を設定できる。
【００６４】
また、本実施の形態では、複品判定部１０９、特徴量算出部１１０、類似度判定部１１１、制御部１１２、制御内容特定部１１３、表示制御部１１４などを個別に構成した例で説明したが、これに限られない。例えば、上記各構成要素の機能を、１つの制御部の中に組み込んで、組み込んだ制御部で実行する構成としてもよい。これにより、加熱調理器の低コスト化ができる。
【００６５】
以上のように、本実施の形態の加熱調理器は、開閉自在のドアが取り付けられた加熱庫と、加熱庫に収納された食品を加熱する加熱部であるマグネトロン１０１およびヒータ１０２と、加熱庫内を撮影する撮影部１０６と、加熱制御内容を設定する設定部１０７と、撮影部１０６で撮影された画像と設定部１０７で設定された加熱制御内容を紐づけて記憶する格納部１０８を備える。さらに、食品が複数種類かどうかを判定する複品判定部１０９と、撮影部１０６が撮影した複数の画像の類似度を判定する類似度判定部１１１と、類似度判定部１１１での判定結果に応じて撮影部１０６で撮影された食品に対応する加熱制御内容を特定する制御内容特定部１１３と、加熱制御内容を提示する表示部１１５と、制御部１１２を備える。制御部１１２は、複品判定部１０９により食品が単品と判定した場合、１つの加熱制御内容を、表示部１１５に提示する。また、制御部１１２は、複品判定部１０９により食品が複数種類である判定した場合、複数の加熱制御内容を食品の種類ごとに表示部１１５に提示する。これにより、単品の食品や、複数の食品が加熱庫内に収容された場合、加熱制御内容などの各々の設定を簡単に行うことができる。また、使用者が意識しない日々の操作の中で、今回判定された食品などに該当する、以前に設定した加熱制御内容などがあれば、自動で呼び出して提示する。その結果、使用者の好みに応じて加熱できる、使い勝手に優れる加熱調理器を実現できる。
【００６６】
また、本実施の形態の加熱調理器は、複品判定部１０９により食品が複数種類存在すると判定された場合、制御部１１２は、表示部１１５に撮影部１０６で撮影された複数の食品の画像を分割して提示する。このとき、分割した各々の画像を、そのまま、または拡大して提示する。同時に、分割した画像毎に加熱制御内容を、表示部１１５に提示する。これにより、複数の食品が加熱庫内に収容された場合でも、使用者が加熱庫内の個々の食品を、より確認しやすくなる。そのため、加熱制御内容などの各々の設定を、より簡単に行える加熱調理器を実現できる。
【００６７】
（実施の形態２）
以下に、本発明の実施の形態２の加熱調理器について、図７および図８を用いて説明する。
【００６８】
図７は、本発明の実施の形態２における加熱調理器の構成を示すブロック図である。図８は、同加熱調理器の動作を示すフローチャートである。
【００６９】
つまり、本実施の形態の加熱調理器は、図７に示すように、制御内容特定部１１３内に熱源判定部１１７を、さらに備える点で、実施の形態１とは異なる。それ以外の構成要素は、実施の形態１と同様であるので、同一符号、同一名称を用いて、詳細な説明は省略する。
【００７０】
そして、本実施の形態の加熱調理器は、食品や食器に紐付けされて抽出された加熱制御内容に基づいて、熱源判定部１１７で所定の熱源を判定して、食品を加熱する構成を備える。
【００７１】
以上のように、本実施の形態の加熱調理器は構成される。
【００７２】
以下に、上記構成を有する加熱調理器の動作および作用について、図８を用いて説明する。
【００７３】
まず、事前に加熱庫内の空の状態を撮影し、食品などを収容してドアを閉じた後、再び、撮影部で加熱庫内を撮影する。そして、制御内容特定部１１３は、ブロックごとに類似画像と紐付く加熱制御内容の抽出を行う。以上の動作は、図２を用いて説明した実施の形態１の動作と同様である。
【００７４】
すなわち、まず、実施の形態１と同様に、図２に示すステップＳ１〜ステップＳ７までの動作を行う。
【００７５】
そして、本実施の形態のポイントである、図８のステップＳ３１〜ステップＳ４３までの動作を行う。そのため、図２に示すステップＳ１〜ステップＳ７までの動作の説明は、省略する。
【００７６】
具体的に、実施の形態２のおける加熱調理器の動作について、図８を参照しながら説明する。
【００７７】
図８に示すように、まず、制御内容特定部１１３は、設定部１０７で設定されている設定内容、例えば選択されたメニューがあるか否かを判定する（ステップＳ３１）。なお、設定内容は、設定が確定している内容に限らず、設定途中の時点で選択されている使用熱源に関わる加熱制御内容も含まれる。選択されたメニューがある場合（ステップＳ３１のＹ）、ステップＳ３２に移行する。具体的には、使用者が、例えばメニューの「あたため」選択している場合や、事前にデフォルトメニューとして「あたため」が選択されている場合が該当する。
【００７８】
つぎに、制御部１１２は、制御内容特定部１１３で、抽出される画像と紐づけて格納部１０８に格納された加熱制御内容があるか否かを判定する（ステップＳ３２）。抽出される加熱制御内容がある場合（ステップＳ３２のＹ）、複品判定部１０９で複数種類の食品（複品）か否かを判定する（ステップＳ３３）。
【００７９】
このとき、単品と判定された場合（ステップＳ３３のＮ）、熱源判定部１１７は、抽出された加熱制御内容の熱源と、メニューの熱源と一致するか否かを判定する（ステップＳ３６）。つまり、熱源判定部１１７は、選択されたメニューの「あたため」に使用する熱源が、抽出された類似画像と紐付く加熱制御内容の熱源と一致するか否かを判定する。具体的には、メニューの熱源がマグネトロン１０１のみで、抽出された加熱制御内容の熱源がマグネトロン１０１のみで加熱制御を行う場合に相当する。つまり、加熱制御内容の熱源がメニューの熱源と一致する場合（ステップＳ３６のＹ）、抽出した加熱制御内容を、そのブロックの加熱制御内容と特定する。そして、制御部１１２は、特定した加熱制御内容の情報を表示制御部１１４へ送り、表示部１１５に提示する（ステップＳ４１）。そして、ステップＳ３１に戻り、同様の処理を実行する。
【００８０】
一方、抽出された類似画像と紐付く加熱制御内容の熱源が、メニューの熱源と一致しない場合（ステップＳ３６のＮ）、一致しないブロックについては、メニューのデフォルトの加熱制御内容を表示部１１５に提示する（ステップＳ３８）。具体的には、該当する加熱制御内容（例えば、選択された「あたため」メニューのデフォルトの加熱制御内容である、固定の目標温度や加熱時間、もしくは前回使用した目標温度や加熱時間など）を、そのブロックの加熱制御内容として表示部１１５で表示する。そして、ステップＳ３１に戻り、同様の処理を実行する。
【００８１】
また、ステップＳ３３で、複品判定部１０９が複数種類の食品（複品）と判定した場合（ステップＳ３３のＹ）、制御内容特定部１１３は、熱源判定部１１７の判定に基づいて、抽出された加熱制御内容の熱源のうち、選択されたメニューの熱源と一致する加熱制御内容の熱源を特定する（ステップＳ３４）。具体的には、抽出したブロックごとに類似画像と紐付く加熱制御内容の熱源のうち、マグネトロン１０１のみで加熱制御を行う加熱制御内容の熱源のみを、そのブロックの加熱制御内容と特定する。そして、特定した加熱制御内容の情報を表示制御部１１４へ送り、表示部１１５に提示する。
【００８２】
このとき、ステップ３４で加熱制御内容が特定できないブロックについては、メニューの熱源のデフォルトの加熱制御内容を表示部１１５に提示する（ステップ３５）。具体的には、該当するデフォルトの加熱制御内容（例えば選択された「あたため」メニューのデフォルトの加熱制御内容である、固定の目標温度や加熱時間、もしくは前回使用した目標温度や加熱時間など）を、そのブロックの加熱制御内容として表示部１１５で表示する。そして、ステップＳ３１に戻り、以降の処理を実行する。
【００８３】
同様に、制御内容特定部１１３は、抽出したブロックごとに類似画像と紐づく加熱制御内容で特定した熱源のうち、熱源判定部１１７で判定した選択メニューで使用する熱源が、例えばヒータ１０２のみであれば、ヒータ１０２のみで加熱制御を行う加熱制御内容の熱源のみを特定する。一方、熱源判定部１１７で判定した使用熱源が、マグネトロン１０１とヒータ１０２であれば、マグネトロン１０１とヒータ１０２で加熱制御を行う加熱制御内容の熱源を、そのブロックの加熱制御内容と特定する。そして、特定した加熱制御内容の情報を表示制御部１１４へ送り、表示部１１５に提示する。
【００８４】
すなわち、ステップＳ３３において、制御内容特定部１１３は、複品判定部１０９により食品が単品と判定された場合（ステップＳ３３のＮ）、１つの加熱制御内容について、熱源判定部１１７が判定した使用熱源と一致する熱源のみを、そのブロックの加熱制御内容と特定して、表示制御部１１４へ情報を送る。一方、複品判定部１０９により食品が複数種類（複品）と判定された場合（ステップＳ３３のＹ）、複数の加熱制御内容の全てについて、熱源判定部１１７が判定した使用熱源と一致する熱源を、そのブロックの加熱制御内容と特定して、表示制御部１１４へ情報を送る。
【００８５】
なお、制御内容特定部１１３は、設定部１０７での設定が確定するまでに、選択されている加熱制御内容の熱源に関する内容が変更されるごとに、熱源判定部１１７が判定した使用熱源による情報の絞り込みを行う。そして、絞り込んだ情報を表示制御部１１４へ情報を送る。
【００８６】
また、ステップ３２において、制御内容特定部１１３が画像と紐付けて格納部１０８に格納されている加熱制御内容を抽出していない場合（ステップＳ３２のＮ）、抽出されていないブロックについては、メニューのデフォルトの加熱制御内容を表示部１１５に提示する（ステップＳ３８）。具体的には、該当するデフォルトの加熱制御内容（例えば選択された「あたため」メニューのデフォルト加熱制御内容である、固定の目標温度や加熱時間、もしくは前回使用した目標温度や加熱時間など）を、表示部１１５で表示する。そして、ステップＳ３１に戻り、同様の処理を実行する。
【００８７】
一方、ステップ３１において、制御内容特定部１１３が、設定部１０７で設定されている設定内容、例えば選択されたメニューがない場合（ステップＳ３１のＮ）、制御内容特定部１１３は、抽出されたブロックごとに類似画像と紐付く加熱制御内容があるか否かを判定する（ステップＳ３９）。抽出された加熱制御内容がある場合（ステップＳ３９のＹ）、複品判定部１０９で複数種類の食品（複品）か否かを判定する（ステップＳ４０）。
【００８８】
このとき、食品が単品と判定された場合（ステップＳ４０のＮ）、制御部１１２は、抽出した加熱制御内容を、特定した加熱制御内容として、表示制御部１１４へ情報を送り、表示部１１５に提示する（ステップ４１）。
【００８９】
一方、食品が複品と判定された場合（ステップＳ４０のＹ）、制御内容特定部１１３は、熱源判定部１１７の判定に基づいて、紐付ける加熱制御内容が抽出された複数の加熱制御内容の全ての使用熱源について、確認する。そして、最も多い使用熱源の加熱制御内容と紐づくブロックのみについて、加熱制御内容を特定する。特定した加熱制御内容の情報を表示制御部１１４へ送り、表示部１１５に提示する（ステップ４２）。
【００９０】
このとき、ステップ４２で加熱制御内容が特定できないブロックについては、最も多い使用熱源のデフォルトの加熱制御内容を表示部１１５に提示する（ステップ４３）。そして、ステップＳ３１に戻り、同様の処理を実行する。
【００９１】
また、ステップＳ３９において、抽出されたブロックごとに類似画像と紐付く加熱制御内容がない場合（ステップＳ３９のＮ）、制御部１１２は、表示制御部１１４へ情報を送らず、表示部１１５に表示しない（ステップＳ４４）。そして、ステップＳ３１に戻り、同様の処理を実行する。
【００９２】
なお、制御内容特定部１１３は、設定部１０７での設定が確定するまでに、選択されている加熱制御内容の熱源に関する内容が変更されるごとに、熱源判定部１１７が判定した使用熱源による特定した情報の絞り込みを行う。そして、選択されたメニューがある場合と同様に、絞り込んだ情報を表示制御部１１４へ情報を送る。
【００９３】
また、ステップＳ４２において、複品判定部１０９で判定されたブロックの数が偶数の場合で、かつ熱源判定部１１７で使用熱源が同じと判定されたブロックの数が同数の場合、複品判定部１０９により分割した画像のサイズが最も大きいブロックの属する使用熱源の加熱制御内容を特定する。そして、特定したブロックの加熱制御内容の情報を、表示制御部１１４へ送る。一方、いずれにも該当しない場合には、表示制御部１１４へ情報を送らず、表示部１１５に表示しない。
【００９４】
以上のように、本実施の形態の加熱調理器は、制御内容特定部１１３に、熱源判定部１１７を備える。
【００９５】
そして、表示部１１５は、制御内容特定部１１３で特定した予め選択されている加熱制御内容、もしくは設定部１０７で選択されている加熱源と一致する加熱制御内容のみを提示する。これにより、使用者の意図にあった設定内容で、より早く加熱可能な加熱制御内容を提示できる。
【００９６】
また、複品判定部１０９が撮影部１０６で撮影した食品の画像情報から食品が複数種類だと判定し、かつ制御内容特定部１１３が複数の種類について特定した加熱制御内容の中の加熱源が異なる場合、つぎのように動作する。
【００９７】
つまり、上記の状況において、予め選択されている加熱制御内容、もしくは設定部１０７で選択されている加熱制御内容の加熱源がない時は、表示部１１５は、特定した制御内容で最も多い加熱源の加熱制御内容のみを提示する。これにより、加熱庫内に入れた食品に応じて、使用者の意図にあった設定内容で、より早く加熱可能な加熱制御内容を提示できる。
【００９８】
さらに、複品判定部１０９が撮影部１０６で撮影した食品画像情報から食品が複数種類だと判定し、かつ制御内容特定部１１３が複数の種類について特定した加熱制御内容の中に加熱源が異なる場合、つぎのように動作する。
【００９９】
つまり、上記状況において、予め選択されている加熱制御内容、もしくは設定部で選択されている加熱制御内容の加熱源がない場合、表示部１１５は、特定した加熱制御内容のうち、複品判定部１０９により分割した最も大きい画像サイズに紐付く加熱制御内容のみを提示する。これにより、加熱庫内に入れた食品に応じて、使用者の意図にあった設定内容で、より早く加熱可能な加熱制御内容を提示できる。
【０１００】
なお、本実施の形態では、設定部１０７で選択されている使用熱源に関わる加熱制御内容をメニューとして表示する構成を例に説明したが、これに限られない。例えば、「レンジ」、「グリル」などの熱源を、直接指定する加熱制御内容に関わる使用熱源であれば、加熱制御内容は任意としてもよい。
【０１０１】
また、本実施の形態では、複品判定部１０９、特徴量算出部１１０、類似度判定部１１１、制御部１１２、制御内容特定部１１３、表示制御部１１４などを個別の構成および名称で説明したが、これに限られない。例えば、上記各構成要素の機能を、１つの制御部の中に組み込んで、組み込んだ制御部で実行する構成としてもよい。また、上記構成要素や回路を、全て制御部と称してもよい。
【０１０２】
以上で説明したように、本発明の加熱調理器は、加熱庫に収納された食品を加熱する加熱部と、加熱庫内の食品または食器を撮影する撮影部と、加熱部による加熱制御内容を設定する設定部と、撮影部で撮影された画像と設定部で設定された加熱制御内容とを関連付けて格納する格納部と、加熱制御内容を報知する報知部と、制御部を備える。制御部は、撮影部で撮影された画像に存在する食品または食器の数に基づいて、対応する食品または食器の加熱制御内容を報知するように報知部を制御する構成としてもよい。
【０１０３】
この構成によれば、単品の食品や複数の食品を加熱庫内に入れて加熱する場合、各々の加熱制御内容の設定を簡単に行うことができる。また、使用者が以前に設定した加熱制御内容に該当する加熱制御内容があれば、自動で呼び出して報知部に提示する。これにより、使用者の好みに応じて加熱できる、使い勝手に優れる加熱調理器を実現できる。
【０１０４】
また、本発明の加熱調理器は、開閉可能な扉を有する加熱庫と、扉の開閉を検知する開閉検知部を、さらに備える。制御部は、扉が開状態から閉状態に変化したことを開閉検知部が検知すると、撮影部で加熱庫内の食品または食器を撮影し、撮影部が撮影した加熱庫内の食品または食器の画像と格納部に格納された画像との比較を行う。さらに、制御部は、撮影部で撮影された画像に存在する食品または食器の数に基づいて、対応する食品または食器の加熱制御内容を報知するように報知部を制御する構成としてもよい。
【０１０５】
この構成によれば、複数の食品を加熱庫内に入れて加熱する場合でも、使用者は、加熱庫内の個々の食品を、より確認しやすくなる。これにより、使用者は、各々の加熱制御内容の設定を簡単に行うことができる。
【０１０６】
また、本発明の加熱調理器の報知部は、表示部を備え、制御部は、撮影部が撮影した画像に、食品または食器が複数種類存在すると判定すると、表示部に、撮影された画像に存在する食品または食器ごとに複数の画像に分割し、分割した画像をそのまま、または個別に拡大して表示するとともに、表示した画像ごとに対応する加熱制御内容を表示してもよい。
【０１０７】
これにより、加熱庫内に入れた食品に応じて、使用者の意図にあった設定内容で、より早く加熱可能な加熱制御内容を提示できる。
【０１０８】
また、本発明の加熱調理器は、撮影部で撮影された画像に食品または食器が含まれている場合、制御部は、画像に含まれる食品または食器に対応する加熱制御内容を抽出し、抽出した加熱制御内容に対応する加熱源と、設定部で設定された加熱制御内容に対応する加熱源とが一致すれば、加熱制御内容を報知部により報知する構成としてもよい。
【０１０９】
これにより、加熱庫内に入れた食品に応じて、使用者の意図にあった設定内容を、使用者により早く提供できる。
【０１１０】
また、本発明の加熱調理器は、撮影部で撮影された画像に複数の食品または食器が含まれている場合、制御部は、画像に含まれる複数の食品または食器に対応する複数の加熱制御内容を抽出する。そして、抽出した複数の加熱制御内容に対応する加熱源が異なると判定されるか、または、予め設定部で設定された加熱制御内容に対応する加熱源がないと判定されると、抽出した複数の加熱制御内容に対応する加熱源のうち、最も多く用いられる加熱源のみを報知部により報知する構成としてもよい。
【０１１１】
これにより、加熱庫内に入れた食品に応じて、使用者の意図にあった設定内容を、使用者により早く提供できる。
【０１１２】
また、本発明の加熱調理器の制御部は、撮影部で撮影した画像から複数種類の食品が存在すると判定する場合、撮影した食品に対応する加熱制御内容と加熱源を判定する。そして、判定した加熱源が食品に応じて異なる場合、または、予め設定部で設定された加熱制御内容の加熱源が撮影した画像に対応する加熱源と異なる場合、報知部は、設定した加熱制御内容のうち、分割した画像サイズの最も大きい加熱制御内容に紐付く加熱制御内容のみを提示する構成としてもよい。
【０１１３】
これにより、加熱庫内に入れた食品に応じて、使用者の意図にあった設定内容をより早く提供する加熱調理器を実現できる。
【産業上の利用可能性】
【０１１４】
本発明の加熱調理器は、単品の食品や、複数の食品を加熱庫内に入れた場合、各々の加熱制御内容の設定を簡単に行うことができる。また、以前に設定した加熱制御内容に該当する加熱制御内容があれば、自動で呼び出して提示する。そのため、家庭内だけでなく業務用などの加熱調理器としても有用である。
【符号の説明】
【０１１５】
１０１    マグネトロン（加熱部）
１０２    ヒータ（加熱部）
１０３    赤外線センサ
１０４    サーミスタ
１０５    ドアスイッチ（開閉検知部）
１０６    撮影部
１０７    設定部
１０８    格納部
１０９    複品判定部
１１０    特徴量算出部
１１１    類似度判定部
１１２    制御部
１１３    制御内容特定部
１１４    表示制御部
１１５    表示部（報知部）
１１６    操作部
１１７    熱源判定部
【手続補正２】
【補正対象書類名】特許請求の範囲
【補正対象項目名】全文
【補正方法】変更
【補正の内容】
【特許請求の範囲】
【請求項１】
加熱庫に収納された食品を加熱する加熱部と、
前記加熱庫内の食品または食器を撮影する撮影部と、
前記加熱部による加熱制御内容を設定する設定部と、
前記撮影部で撮影された画像と前記設定部で設定された前記加熱制御内容とを関連付けて格納する格納部と、
前記加熱制御内容を報知する報知部と、
制御部と、を備え、
前記制御部は、
前記撮影部で撮影された前記画像に存在する食品または食器の数に基づいて、対応する前記食品または食器の前記加熱制御内容を報知するように前記報知部を制御する加熱調理器。
【請求項２】
開閉可能な扉を有する加熱庫と、
前記扉の開閉を検知する開閉検知部と、をさらに備え、
前記制御部は、
前記扉が開状態から閉状態に変化したことを前記開閉検知部が検知すると、前記撮影部で前記加熱庫内の食品または食器を撮影し、
前記撮影部が撮影した前記加熱庫内の食品または食器の画像と前記格納部に格納された画像との比較を行い、
前記撮影部で撮影された前記画像に存在する食品または食器の数に基づいて、対応する食品または食器の前記加熱制御内容を報知するように前記報知部を制御する請求項１に記載の加熱調理器。
【請求項３】
前記報知部は、表示部を備え、
前記制御部は、
前記撮影部が撮影した前記画像に、前記食品または食器が複数種類存在すると判定すると、前記表示部に、撮影された前記画像に存在する食品または食器ごとに複数の画像に分割し、分割した前記画像をそのまま、または個別に拡大して表示するとともに、
表示した前記画像ごとに対応する前記加熱制御内容を表示する請求項１に記載の加熱調理器。
【請求項４】
前記撮影部で撮影された前記画像に食品または食器が含まれている場合、
前記制御部は、前記画像に含まれる食品または食器に対応する前記加熱制御内容を抽出し、
抽出した前記加熱制御内容に対応する加熱源と、前記設定部で設定された前記加熱制御内容に対応する加熱源とが一致すれば、前記加熱制御内容を前記報知部により報知する請求項１に記載の加熱調理器。
【請求項５】
前記撮影部で撮影された前記画像に複数の食品または食器が含まれている場合、
前記制御部は、前記画像に含まれる複数の食品または食器に対応する複数の前記加熱制御内容を抽出し、
抽出した複数の前記加熱制御内容に対応する加熱源が異なると判定されるか、または、予め前記設定部で設定された前記加熱制御内容に対応する加熱源がないと判定されると、
抽出した複数の前記加熱制御内容に対応する加熱源のうち、最も多く用いられる加熱源のみを前記報知部により報知する請求項１に記載の加熱調理器。
【請求項６】
前記制御部は、
前記撮影部で撮影した前記画像から複数種類の食品が存在すると判定する場合、
撮影した前記食品に対応する前記加熱制御内容と加熱源を判定し、
判定した前記加熱源が前記食品に応じて異なる場合、または、予め前記設定部で設定された前記加熱制御内容の加熱源が撮影した前記画像に対応する加熱源と異なる場合、
前記報知部は、設定した前記加熱制御内容のうち、分割した画像サイズの最も大きい前記加熱制御内容に紐付く前記加熱制御内容のみを提示する請求項１に記載の加熱調理器。
【手続補正３】
【補正対象書類名】図面
【補正対象項目名】全図
【補正方法】変更
【補正の内容】
【図１】
2016199378.tif 000012
【図２】
2016199378.tif 000013
【図３Ａ】
2016199378.tif 000014
【図３Ｂ】
2016199378.tif 000015
【図４】
2016199378.tif 000016
【図５】
2016199378.tif 000017
【図６】
2016199378.tif 000018
【図７】
2016199378.tif 000019
【図８】
2016199378.tif 000020
【国際調査報告】
2016199378.tif 000021
2016199378.tif 000022
2016199378.tif 000023
2016199378.tif 000024